(57)【要約】【課題】スライド閉状態時には伸縮自在なアンテナが収縮状態にあるときのアンテナ先端部を突設部によって覆いかぶすことを可能とする。【解決手段】スライド型の携帯無線機１０は、それぞれ大略平板状の第１の筐体１の面１ｂと第２の筐体２の面２ａとが対向配置され、図中、互いに上下方向にスライド可能な構造とされている。筐体２の上面の一部には切欠部３が設けられている。切欠部３には伸縮可能なデジタルテレビ受信用ホイップアンテナ５の端部を回動自在に支持する支持部６が植立されている。筐体１の上面の一部には突設部４が形成されている。突設部４は、閉状態時には、切欠部３と組み合わされて内部に空間を形成する構造となっており、ホイップアンテナ５が収縮状態にあるときのアンテナ先端部５ａを覆いかぶす。【選択図】図１
2010263260.tif 000002
【特許請求の範囲】
【請求項１】
第１の筐体と、伸縮自在なアンテナの収縮時には当該アンテナの大部分を内部に収納し、当該アンテナの伸張時には内部から当該アンテナが引き出される第２の筐体とがスライド開閉可能な構造を有する携帯無線機であって、
前記アンテナの伸張時には当該アンテナを伸張したままの状態で回動自在に支持する支持部が位置し、前記アンテナの収縮時には当該アンテナの先端部が位置する平面を含む切欠部を前記第２の筐体に設けると共に、
スライドして前記第１の筐体の第１の面と前記第２の筐体の第２の面とを全面対向させる閉状態時に前記切欠部と組み合わさることにより、前記切欠部との間で前記支持部及び前記先端部を収納できる大きさの空間を形成する突設部を前記第１の筐体に設けたことを特徴とする携帯無線機。
【請求項２】
第１の筐体と、伸縮自在なアンテナの収縮時には当該アンテナの大部分を内部に収納し、当該アンテナの伸張時には内部から当該アンテナが引き出される第２の筐体とがスライド開閉可能な構造を有する携帯無線機であって、
前記アンテナの伸張時には当該アンテナを伸張したままの状態で回動自在に支持する支持部が位置し、前記アンテナの収縮時には当該アンテナの先端部が位置する平面を含む切欠部を前記第２の筐体に設けると共に、
スライドして前記第１の筐体の第１の面と前記第２の筐体の第２の面とを全面対向させる閉状態時に前記切欠部と組み合わさり、前記切欠部との間で前記支持部及び前記先端部を収納できる大きさで、かつ、一部に開放部分を有する空間を形成する突設部を前記第１の筐体に設けたことを特徴とする携帯無線機。
【請求項３】
前記空間は、少なくとも前記アンテナの収縮時に当該アンテナの先端部が位置する平面に対して開状態とするスライド方向の位置では、前記突設部により閉じていることを特徴とする請求項１又は２記載の携帯無線機。
【請求項４】
前記空間の開放部分は、前記第１及び第２の筐体の側面であることを特徴とする請求項２記載の携帯無線機。
【請求項５】
前記伸縮自在なアンテナは、デジタルテレビ受信用ホイップアンテナであることを特徴とする請求項１乃至３のうちいずれか一項記載の携帯無線機。
【請求項６】
前記第１の筐体は、前記第２の筐体と対向する前記第１の面と反対側の面に表示部が形成され、前記第２の筐体は、スライドによる開状態時に前記第２の面の露出する領域に入力部が形成されていることを特徴とする請求項１乃至５のうちいずれか一項記載の携帯無線機。
【発明の詳細な説明】
【技術分野】
【０００１】
本発明は携帯無線機に係り、特に２つの筐体がスライド開閉可能な構造で、かつ、伸縮自在のアンテナを外部に備えた携帯無線機に関する。
【背景技術】
【０００２】
２つの筐体をスライド開閉可能な構造で、かつ、伸縮自在のアンテナを外部に備えたスライド型の携帯無線機が知られている（例えば、特許文献１参照）。このスライド型の携帯無線機では、筐体を開いたときには、筐体を開く動作によってアンテナが収納され、筐体を閉じたときには、筐体を閉じる動作によってアンテナが収納される構造である。この特許文献１記載のスライド型の携帯無線機によれば、アンテナの収縮に手間がかからず、また、使用時には必ずアンテナが伸張されるため、突出部分を筐体に設けなくても通話が確保できる。
【０００３】
また、ヒンジ部を中心として２つの筐体が開閉自在な構造の折り畳み型携帯無線機の中には、筐体に設けられたアンテナと、筐体の所定の部位との間にユーザの手をアンテナから離間させるアンテナ離間手段（アンテナカバー）を設け、折り畳み状態にあるときでもアンテナカバーでアンテナを保護する構造の携帯無線機が知られている（例えば、特許文献２参照）。
【先行技術文献】
【特許文献】
【０００４】
【特許文献１】特開２００３-２９８６９５号公報
【特許文献２】特開２００４-３３６３６８号公報
【発明の概要】
【発明が解決しようとする課題】
【０００５】
特許文献１記載のスライド型の携帯無線機では、２つの筐体を閉じた状態でもアンテナの先端部が２つの筐体の外部に突出した構造である。しかしながら、近年では、デザイン的に洗練感を持たせるために、一方の筐体の側面にアンテナの収納部を設け、筐体を閉じた状態のときには、アンテナ先端部の形状は筐体外観とフォルムを合わせることが要求される。これでは筐体毎のアンテナ先端部のデザインが異なることとなり、部材の流用ができない。また、筐体落下時の衝撃により、収納したアンテナが飛出す可能性もある。更に、筐体を閉じた状態のときでも、所望の電界強度を得るために、アンテナを伸張させて受信を行うことが要求される場合もあるが、そのような要求を満たすことはできない。
【０００６】
特許文献２記載の携帯無線機では、アンテナを内蔵しているため、筐体落下時の衝撃により、収納したアンテナが飛出すことはなく、また筐体を閉じた状態でもアンテナを有効に利用した送受信が可能であるが、このものは折り畳み型の携帯無線機であり、スライド型の携帯無線機に固有の上記の課題を解決することはできない。
【０００７】
本発明は以上の点に鑑みなされたもので、スライド閉状態時には伸縮自在なアンテナが収縮状態にあるときのアンテナ先端部を突設部によって覆いかぶすことを可能とした携帯無線機を提供することを目的とする。
【課題を解決するための手段】
【０００８】
本発明は上記の目的を達成するため、第１の筐体と、伸縮自在なアンテナの収縮時には当該アンテナの大部分を内部に収納し、当該アンテナの伸張時には内部から当該アンテナが引き出される第２の筐体とがスライド開閉可能な構造を有する携帯無線機であって、アンテナの伸張時には当該アンテナを伸張したままの状態で回動自在に支持する支持部が位置し、アンテナの収縮時には当該アンテナの先端部が位置する平面を含む切欠部を第２の筐体に設けると共に、スライドして第１の筐体の第１の面と第２の筐体の第２の面とを全面対向させる閉状態時に切欠部と組み合わさることにより、切欠部との間で支持部及び先端部を収納できる大きさの空間を形成する突設部を第１の筐体に設けたことを特徴とする。
【発明の効果】
【０００９】
本発明によれば、携帯無線機のスライド閉状態時には伸縮自在なアンテナが収縮状態にあるときのアンテナ先端部を突設部によって覆いかぶすことにより、筐体外部より突出することなく隠すことができると同時に、落下等により収縮状態にあるアンテナの飛出しも防止することができる。
【図面の簡単な説明】
【００１０】
【図１】本発明の携帯無線機の一実施形態の開状態でアンテナ伸張時の外観斜視図である。
【図２】本発明の携帯無線機の一実施形態の開状態でアンテナ収縮時の外観斜視図である。
【図３】本発明の携帯無線機の一実施形態の閉状態でアンテナ収縮時の外観斜視図である。
【図４】本発明の携帯無線機の一実施形態のアンテナ収縮時のアンテナ先端部付近を示す部分拡大斜視図である。
【図５】本発明の携帯無線機の一実施形態の開状態でアンテナ伸張時の外観斜視図（その１）である。
【図６】本発明の携帯無線機の一実施形態の開状態でアンテナ伸張時の外観斜視図（その２）である。
【図７】本発明の携帯無線機の一実施形態の閉状態でアンテナ伸張時の外観斜視図である。
【図８】本発明の携帯無線機の一実施形態のアンテナ伸張時のアンテナ支持部付近を示す部分拡大斜視図である。
【発明を実施するための形態】
【００１１】
次に、本発明の実施形態について図面を参照して詳細に説明する。
【００１２】
図１、図２、図３は、本発明になる携帯無線機の一実施形態の外観斜視図で、図１は開状態でアンテナ伸張時、図２は開状態でアンテナ収縮時、図３は閉状態でアンテナ収縮時の外観斜視図を示す。
【００１３】
図１〜図３において、本実施形態のスライド型の携帯無線機１０は、それぞれ大略平板状の第１の筐体１の面１ｂと第２の筐体２の面２ａとが対向配置され、図中、互いに上下方向にスライド可能な構造とされている。第１の筐体１の面１ａには表示部とレシーバが設けられている。一方、第２の筐体２の面２ａには、図１に示す開状態で露出する領域に入力のための複数のキーが設けられている。また、第２の筐体２の底面２ｃにはマイクが設けられている。更に、第２の筐体２にはバッテリが内蔵されており、面２ｂにはバッテリ交換部（図示せず）が形成されている。なお、これら表示部、レシーバ、キー、マイクなどは、本発明とは直接の関係がないので図示は省略する。
【００１４】
また、第２の筐体２の上面の一部には切欠部３が設けられている。切欠部３には伸縮可能なデジタルテレビ受信用ホイップアンテナ５の端部を、アンテナ伸張時に回動自在に支持する支持部６が配置されている。第１の筐体１の上面の切欠部３に対応した位置には、突設部４が形成されている。
【００１５】
この突設部４は、筐体１及び２の面１ｂ及び２ａを全面的に対向させた閉状態時には、図３に示すように、切欠部３と組み合わされる構造となっている。ただし、切欠部３と突設部４とは閉状態時でも空間が形成され、かつ、その空間は完全な閉空間ではなく、図３に７で示すように、筐体１及び２の側面に開放部分があるように設計されている。これにより、後述するようにホイップアンテナ５の引き出し時（伸張時）においても、空間７の開放部分を介して筐体１及び２が閉じることができる構造となっている。
【００１６】
次に、本実施形態の第１の動作例について図１〜図４を用いて説明する。図１〜図４中、同一構成部分には同一符号を付してある。
【００１７】
図１及び図２に示すように、スライド開閉可能な携帯無線機１０の筐体１の面１ｂと筐体２の面２ａとが、図中、上下方向に互いにずれた位置にある開状態のときには、伸縮式のデジタルテレビ受信用ホイップアンテナ５は、図１に示す伸張状態か図２に示す収縮状態のいずれかにされる。ホイップアンテナ５は、収縮されるときには、図２及び図４（Ａ）の部分拡大斜視図に示すように、その大部分が第２の筐体２の内部に収納され、先端部５ａのみが切欠部３の平面に露出した状態となる。
【００１８】
このようにホイップアンテナ５を収縮してその殆どの部分を筐体２の内部に収納した状態で、筐体１を下方向に、又は筐体２を上方向に移動して、筐体１の面１ｂと筐体２の面２ａとがそれぞれ全面対向する閉状態にすると、図３及び図４（Ｂ）の部分拡大斜視図に示すように、筐体１の突設部４と筐体２の切欠部３とが組み合わさり、デジタルテレビ受信用ホイップアンテナ５の先端部５ａが切欠部３と突設部４の間に形成された空間７に収納され、かつ、筐体１及び２により覆い隠される。
【００１９】
従って、この閉状態のときの携帯無線機１０の外観形状は、ホイップアンテナ５の先端部の形状に関係なく、筐体１の外観形状と筐体２の外観形状のみで決まるので、ホイップアンテナ５の先端部５ａの形状を筐体外観とフォルムを合わせる必要がなくなる。従って、本実施形態によれば、筐体毎にホイップアンテナ５の先端部５ａのデザインを替えることが不要となり、部材の流用ができる。
【００２０】
また、ホイップアンテナ５が収縮された状態で携帯無線機１０が閉状態とされたときには、ホイップアンテナ５の先端部５ａの上方の離間対向した位置には突設部４が位置するので、閉状態の携帯無線機１０が落下した場合にホイップアンテナ５が飛び出そうとしても、先端部５ａが突設部４により上方向への移動が規制されるため、ホイップアンテナ５の飛出しを防止することができる。
【００２１】
次に、本実施形態の第２の動作例について図５〜図８を用いて説明する。図５〜図８中、図１〜図４と同一構成部分には同一符号を付し、その説明を省略する。
【００２２】
いま、図５に示すように、ユーザがスライド開閉可能な携帯無線機１０を、筐体１の面１ｂと筐体２の面２ａとを、図中、上下方向に互いにずれた位置にある開状態とし、伸縮式のデジタルテレビ受信用ホイップアンテナ５を筐体２内から手動で引き出し、伸張状態としてデジタルテレビ放送を受信し、筐体１の面１ａに形成された表示部（図示せず）に受信画像を表示し、ユーザがデジタルテレビ放送を視聴しているものとする。
【００２３】
この視聴状態で何らかの原因により受信電界強度が低下して受信品質が劣化したものとすると、例えば、ユーザはホイップアンテナ５を伸張状態としたままホイップアンテナ５を支持部６を支点として、所望の受信品質が得られるように任意の方向に回動する。これにより、例えば、図６に示すように、ホイップアンテナ５をその先端部５ａが筐体１の面１ａにほぼ直交する方向に向けたときに、所望の受信品質が得られたものとする。図８（Ａ）は、このときのホイップアンテナ５の支持部６付近の部分拡大斜視図を示す。
【００２４】
このホイップアンテナ５を伸張した状態のまま、本実施形態によれば、ユーザがスライド開閉可能な携帯無線機１０を、筐体１の面１ｂと筐体２の面２ａとを互いに全面対向するように図７に示す閉状態として視聴を継続することができる。
【００２５】
すなわち、筐体１と筐体２が閉状態とすると、筐体１の突設部４と筐体２の切欠部３が組み合わさり、切欠部３と突設部４の間に空間７が形成されるが、その空間７は閉空間ではなく、筐体１及び２の一方の側面が開放された空間である。このため、図８（Ｂ）の部分拡大斜視図に示すように、空間７の開放部分を通してホイップアンテナ５を引き出すことができる。従って、本実施形態によれば、ホイップアンテナ５を伸張した状態でも、携帯無線機１０を閉状態とすることができ、所望の電界強度を得るために、ホイップアンテナ５を伸張させて受信を行うことができる。
【００２６】
なお、本発明は以上の実施形態に限定されるものではなく、例えば伸縮自在なアンテナはデジタル信号受信用以外の用途のアンテナも適用可能である。また、空間７を閉空間としてもよい。ただし、この場合は、ホイップアンテナを伸張した状態で携帯無線機を閉状態とすることはできないが、収縮した状態のホイップアンテナを隠すことができ、また、携帯電話機落下時のホイップアンテナの飛び出しを防止することができる。
【符号の説明】
【００２７】
１  第１の筐体
２  第２の筐体
３  切欠部
４  突設部
５  デジタルテレビ受信用ホイップアンテナ
５ａ  アンテナ先端部
６  支持部
７  空間
【図１】
2010263260.tif 000003
【図２】
2010263260.tif 000004
【図３】
2010263260.tif 000005
【図４】
2010263260.tif 000006
【図５】
2010263260.tif 000007
【図６】
2010263260.tif 000008
【図７】
2010263260.tif 000009
【図８】
2010263260.tif 000010